(57)【要約】【課題】本発明は、機器の利用状況等の機器管理を効率的に行う機器管理装置、機器管理システム、機器管理プログラム、機器管理方法及び記録媒体に関する。【解決手段】機器管理システム１は、ネットワークＮＷに接続されている管理対象の機器２０ａ〜２０ｎを管理する機器管理装置１０が、該機器２０ａ〜２０ｎから利用状況等の該機器２０ａ〜２０ｎの管理に必要な管理情報を収集して、該収集した管理情報をデータ集計部１３で集計し、マップデータ加工部１８で、機器２０ａ〜２０ｎの配置位置及び各機器２０ａ〜２０ｎの利用者の座席位置のマップ上に該集計情報に応じて色分けする等の方法で加工して入出力部１２のディスプレイに表示出力する。したがって、各機器２０ａ〜２０ｎの利用頻度等の管理に必要な情報をマップ上に分かりやすく出力することができる。【選択図】          図１
2008020995.tif 000002
【特許請求の範囲】
【請求項１】
所定のネットワークに接続されている管理対象の機器から該機器の利用状況等の該機器の管理に必要な管理情報を収集して該機器を管理する機器管理装置において、前記各管理対象の機器から前記管理情報を収集する情報収集手段と、該情報収集手段の収集した管理情報を解析して該各機器の利用頻度等の解析情報を生成する解析手段と、前記管理対象の機器の配置位置及び該各機器の利用者の座席位置を位置図面データとして保持する位置図面保持手段と、所定の出力手段と、前記位置図面保持手段の位置図面の機器配置位置または／及び利用者座席位置に所定の表示方法に基づいて前記解析手段の生成した解析情報に応じた所定の付加情報を付加して前記出力手段から出力させる機器管理処理を実行する制御手段と、を備えていることを特徴とする機器管理装置。
【請求項２】
所定のネットワークに管理対象の機器と該機器を管理する機器管理装置が接続され、該機器管理装置が該機器の利用状況等の該機器の管理に必要な管理情報を収集して該機器を管理する機器管理システムにおいて、前記機器管理装置は、前記各管理対象の機器から前記管理情報を収集する情報収集手段と、該情報収集手段の収集した管理情報を解析して該各機器の利用頻度等の解析情報を生成する解析手段と、前記管理対象の機器の配置位置及び該各機器の利用者の座席位置を位置図面データとして保持する位置図面保持手段と、所定の出力手段と、前記位置図面保持手段の位置図面の機器配置位置または／及び利用者座席位置に所定の表示方法に基づいて前記解析手段の生成した解析情報に応じた所定の付加情報を付加して前記出力手段から出力させる機器管理処理を実行する制御手段と、を備えていることを特徴とする機器管理システム。
【請求項３】
所定のネットワークに管理対象の機器から該機器の利用状況等の該機器の管理に必要な管理情報を収集して該機器を管理する機器管理処理を実行する機器管理プログラムであって、前記各管理対象の機器から前記管理情報を収集する情報収集ステップと、該情報収集ステップで収集した管理情報を解析して該各機器の利用頻度等の解析情報を生成する解析ステップと、前記管理対象の機器の配置位置及び該各機器の利用者の座席位置を位置図面データとして保持する位置図面保持ステップと、前記位置図面保持ステップで保持している位置図面の機器配置位置または／及び利用者座席位置に所定の表示方法に基づいて前記解析ステップで生成した解析情報に応じた所定の付加情報を付加して所定の出力形式で出力させる機器管理処理を実行する制御ステップと、を有していることを特徴とする機器管理プログラム。
【請求項４】
所定のネットワークに管理対象の機器から該機器の利用状況等の該機器の管理に必要な管理情報を収集して該機器を管理する機器管理処理を実行する機器管理方法であって、前記各管理対象の機器から前記管理情報を収集する情報収集処理と、該情報収集処理で収集した管理情報を解析して該各機器の利用頻度等の解析情報を生成する解析処理と、前記管理対象の機器の配置位置及び該各機器の利用者の座席位置を位置図面データとして保持する位置図面保持処理と、前記位置図面保持処理で保持している位置図面の機器配置位置または／及び利用者座席位置に所定の表示方法に基づいて前記解析処理で生成した解析情報に応じた所定の付加情報を付加して所定の出力形式で出力させる機器管理処理を実行する制御処理と、を実行することを特徴とする機器管理方法。
【請求項５】
前記機器管理装置、前記機器管理システム、前記機器管理プログラムまたは前記機器管理方法は、前記機器管理処理として、前記収集された管理情報のうち、予め指定された機器の管理情報と他の機器の管理情報を比較して、該比較結果を前記付加情報として付加する機器管理処理を実行することを特徴とする請求項１記載の機器管理装置、請求項２記載の機器管理システム、請求項３記載の機器管理プログラムまたは請求項４記載の機器管理方法。
【請求項６】
前記管理情報が、画像形成枚数等の画像形成機能の利用状況に関する管理情報を含んでいることを特徴とする請求項１から請求項５のいずれかに記載の機器管理装置、機器管理システム、機器管理プログラムまたは機器管理方法。
【請求項７】
前記管理情報が、ファクシミリ送信枚数、ファクシミリ受信枚数等のファクシミリ機能の利用状況に関する管理情報を含んでいることを特徴とする請求項１から請求項６のいずれかに記載の機器管理装置、機器管理システム、機器管理プログラムまたは機器管理方法。
【請求項８】
前記機器管理装置、前記機器管理システム、前記機器管理プログラムまたは前記機器管理方法は、前記管理情報が、前記利用者毎の前記各機器の利用頻度を示す管理情報を含み、前記機器管理処理として、該管理情報に基づいて、所定頻度以上に利用頻度の高い前記機器または任意に指定された前記機器に対する利用頻度が所定頻度以上の前記利用者の座席位置からの距離が略等距離となる該機器の設置候補位置を前記位置図面上に出力することを特徴とする請求項１から請求項７のいずれかに記載の機器管理装置、機器管理システム、機器管理プログラムまたは機器管理方法。
【請求項９】
前記機器管理装置、前記機器管理システム、前記機器管理プログラムまたは前記機器管理方法は、前記位置図面上に、追加の機器を設置可能な領域として追加機器設置可能領域を保持し、前記機器管理処理として、前記管理情報に基づいて、前記追加機器設置可能領域のうち、所定の前記機器の利用頻度が所定頻度以上の前記利用者の座席位置から最も近い追加機器設置可能領域を、前記位置図面上に出力することを特徴とする請求項１から請求項７のいずれかに記載の機器管理装置、機器管理システム、機器管理プログラムまたは機器管理方法。
【請求項１０】
前記機器管理装置、前記機器管理システム、前記機器管理プログラムまたは前記機器管理方法は、前記付加情報として、前記機器の利用頻度に基づいて前記位置図面上の前記機器配置位置毎にまたは／及び前記利用者の座席位置毎に色付けする機器管理処理を実行することを特徴とする請求項１から請求項９のいずれかに記載の機器管理装置、機器管理システム、機器管理プログラムまたは機器管理方法。
【請求項１１】
所定のネットワークに管理対象の機器から該機器の利用頻度等の該機器の管理に必要な管理情報を収集して該機器を管理する機器管理処理を実行する機器管理プログラムを記録する記録媒体であって、前記機器管理プログラムとして、請求項３から請求項１０のいずれかに記載の機器管理プログラムを記録することを特徴とする記録媒体。
【発明の詳細な説明】
【技術分野】
【０００１】
本発明は、機器管理装置、機器管理システム、機器管理プログラム、機器管理方法及び記録媒体に関し、詳細には、機器の利用状況等の機器管理を視覚的に明確で効率的に行う機器管理装置、機器管理システム、機器管理プログラム、機器管理方法及び記録媒体に関する。
【背景技術】
【０００２】
従来からファクシミリ装置、複写装置、複合装置、プリンタ装置等のＯＡ（Office Automation ）機器等の機器においては、その消耗品の保守管理や機器のメンテナンスを容易なものとするために、機器と機器の管理を行う機器管理者の機器管理装置とを接続して、該機器管理装置が、各機器のメンテナンス管理情報や稼働状況、故障発生の有無及び機器の使用状況等の各種管理情報を収集し、該収集した管理情報を蓄積・解析して、該機器のメンテナンス管理、故障修理管理、消耗品管理等の各種管理及び利用環境の改善やセキュリティ上の問題の有無のチェック等の利用管理を実行する。特に、利用環境の改善やセキュリティ上の問題の有無のチェック等の利用管理を行うために、例えば、どの利用者が印刷したかなどを記録したログが求められ、今日、ログを収集するサーバ製品や機器自体にログ記録機能が搭載されつつある。機器管理者は、そのログを一つ一つ解析して、利用者に利用方法を改めてもらったり、機器の追加計画の参考としたりする（特許文献１参照）。
【０００３】
そして、このようなログデータ等の管理情報は、従来、表形式のデータの羅列であり、一般的には、それを集計したデータを表示するのにも、表形式の表示を行っている。
【０００４】
【特許文献１】特開２００５−１５７４７８号公報
【発明の開示】
【発明が解決しようとする課題】
【０００５】
しかしながら、上記従来技術にあっては、管理情報が表形式のデータの羅列であり、集計した結果のデータの表示形式も、一般的に、表形式であるため、利用状況等の機器の管理情報の把握が困難であり、機器管理を効率的に行う上で改良の必要があった。
【０００６】
そこで、本発明は、各機器の利用頻度等の管理に必要な情報を分かりやすく出力して、直感的に現在の利用状況等の管理に必要な情報を把握できるようにし、機器の配置等の改善計画を簡単かつ容易に実行できるようにして、利用性の良好な機器管理装置、機器管理システム、機器管理プログラム、機器管理方法及び記録媒体を提供することを目的としている。
【課題を解決するための手段】
【０００７】
請求項１記載の発明の機器管理装置は、所定のネットワークに接続されている管理対象の機器から該機器の利用状況等の該機器の管理に必要な管理情報を収集して該機器を管理する機器管理装置において、前記各管理対象の機器から前記管理情報を収集する情報収集手段と、該情報収集手段の収集した管理情報を解析して該各機器の利用頻度等の解析情報を生成する解析手段と、前記管理対象の機器の配置位置及び該各機器の利用者の座席位置を位置図面データとして保持する位置図面保持手段と、所定の出力手段と、前記位置図面保持手段の位置図面の機器配置位置または／及び利用者座席位置に所定の表示方法に基づいて前記解析手段の生成した解析情報に応じた所定の付加情報を付加して前記出力手段から出力させる機器管理処理を実行する制御手段と、を備えていることにより、上記目的を達成している。
【０００８】
請求項２記載の発明の機器管理システムは、所定のネットワークに管理対象の機器と該機器を管理する機器管理装置が接続され、該機器管理装置が該機器の利用状況等の該機器の管理に必要な管理情報を収集して該機器を管理する機器管理システムにおいて、前記機器管理装置は、前記各管理対象の機器から前記管理情報を収集する情報収集手段と、該情報収集手段の収集した管理情報を解析して該各機器の利用頻度等の解析情報を生成する解析手段と、前記管理対象の機器の配置位置及び該各機器の利用者の座席位置を位置図面データとして保持する位置図面保持手段と、所定の出力手段と、前記位置図面保持手段の位置図面の機器配置位置または／及び利用者座席位置に所定の表示方法に基づいて前記解析手段の生成した解析情報に応じた所定の付加情報を付加して前記出力手段から出力させる機器管理処理を実行する制御手段と、を備えていることにより、上記目的を達成している。
【０００９】
請求項３記載の発明の機器管理プログラムは、所定のネットワークに管理対象の機器から該機器の利用状況等の該機器の管理に必要な管理情報を収集して該機器を管理する機器管理処理を実行する機器管理プログラムであって、前記各管理対象の機器から前記管理情報を収集する情報収集ステップと、該情報収集ステップで収集した管理情報を解析して該各機器の利用頻度等の解析情報を生成する解析ステップと、前記管理対象の機器の配置位置及び該各機器の利用者の座席位置を位置図面データとして保持する位置図面保持ステップと、前記位置図面保持ステップで保持している位置図面の機器配置位置または／及び利用者座席位置に所定の表示方法に基づいて前記解析ステップで生成した解析情報に応じた所定の付加情報を付加して所定の出力形式で出力させる機器管理処理を実行する制御ステップと、を有していることにより、上記目的を達成している。
【００１０】
請求項４記載の発明の機器管理方法は、所定のネットワークに管理対象の機器から該機器の利用状況等の該機器の管理に必要な管理情報を収集して該機器を管理する機器管理処理を実行する機器管理方法であって、前記各管理対象の機器から前記管理情報を収集する情報収集処理と、該情報収集処理で収集した管理情報を解析して該各機器の利用頻度等の解析情報を生成する解析処理と、前記管理対象の機器の配置位置及び該各機器の利用者の座席位置を位置図面データとして保持する位置図面保持処理と、前記位置図面保持処理で保持している位置図面の機器配置位置または／及び利用者座席位置に所定の表示方法に基づいて前記解析処理で生成した解析情報に応じた所定の付加情報を付加して所定の出力形式で出力させる機器管理処理を実行する制御処理と、を実行することにより、上記目的を達成している。
【００１１】
上記各場合において、例えば、請求項５に記載するように、前記機器管理装置、前記機器管理システム、前記機器管理プログラムまたは前記機器管理方法は、前記機器管理処理として、前記収集された管理情報のうち、予め指定された機器の管理情報と他の機器の管理情報を比較して、該比較結果を前記付加情報として付加する機器管理処理を実行してもよい。
【００１２】
また、例えば、請求項６に記載するように、前記管理情報が、画像形成枚数等の画像形成機能の利用状況に関する管理情報を含んでいてもよい。
【００１３】
さらに、例えば、請求項７に記載するように、前記管理情報が、ファクシミリ送信枚数、ファクシミリ受信枚数等のファクシミリ機能の利用状況に関する管理情報を含んでいてもよい。
【００１４】
また、例えば、請求項８に記載するように、前記機器管理装置、前記機器管理システム、前記機器管理プログラムまたは前記機器管理方法は、前記管理情報が、前記利用者毎の前記各機器の利用頻度を示す管理情報を含み、前記機器管理処理として、該管理情報に基づいて、所定頻度以上に利用頻度の高い前記機器または任意に指定された前記機器に対する利用頻度が所定頻度以上の前記利用者の座席位置からの距離が略等距離となる該機器の設置候補位置を前記位置図面上に出力してもよい。
【００１５】
さらに、例えば、請求項９に記載するように、前記機器管理装置、前記機器管理システム、前記機器管理プログラムまたは前記機器管理方法は、前記位置図面上に、追加の機器を設置可能な領域として追加機器設置可能領域を保持し、前記機器管理処理として、前記管理情報に基づいて、前記追加機器設置可能領域のうち、所定の前記機器の利用頻度が所定頻度以上の前記利用者の座席位置から最も近い追加機器設置可能領域を、前記位置図面上に出力してもよい。
【００１６】
また、例えば、請求項１０に記載するように、前記機器管理装置、前記機器管理システム、前記機器管理プログラムまたは前記機器管理方法は、前記付加情報として、前記機器の利用頻度に基づいて前記位置図面上の前記機器配置位置毎にまたは／及び前記利用者の座席位置毎に色付けする機器管理処理を実行してもよい。
【００１７】
請求項１１記載の発明の記録媒体は、所定のネットワークに管理対象の機器から該機器の利用頻度等の該機器の管理に必要な管理情報を収集して該機器を管理する機器管理処理を実行する機器管理プログラムを記録する記録媒体であって、前記機器管理プログラムとして、請求項３から請求項１０のいずれかに記載の機器管理プログラムを記録することにより、上記目的を達成している。
【発明の効果】
【００１８】
本発明によれば、所定のネットワークに接続されている管理対象の機器を管理する機器管理装置が、各管理対象の機器から管理情報を収集して、該収集した管理情報を解析して該各機器の利用頻度等の解析情報を生成し、管理対象の機器の配置位置及び該各機器の利用者の座席位置の位置図面に所定の表示方法に基づいて該解析情報に応じた所定の付加情報を付加して出力する機器管理処理を実行するので、各機器の利用頻度等の管理に必要な情報を視覚的に分かりやすく出力して、直感的に現在の利用状況等の管理に必要な情報を把握できるようにすることができ、機器の配置等の改善計画等の機器の管理を簡単かつ容易に実行できるようにして、利用性を向上させることができる。
【発明を実施するための最良の形態】
【００１９】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２０】
図１〜図４は、本発明の機器管理装置、機器管理システム、機器管理プログラム、機器管理方法及び記録媒体の第１実施例を示す図であり、図１は、本発明の機器管理装置、機器管理システム、機器管理プログラム、機器管理方法及び記録媒体の第１実施例を適用した機器管理システム１のシステム構成図である。
【００２１】
図１において、機器管理システム１は、ＬＡＮ（Local Area Network）等のネットワークＮＷに、機器管理装置１０と管理対象として登録されている複数の登録機器（管理対象機器）２０ａ〜２０ｎが接続されている。なお、ネットワークＮＷには、管理対象機器２０ａ〜２０ｎ以外の他の機器も接続されていてもよい。例えば、ネットワークＮＷがオフィスの複数回のフロアにわたって配設されていて、各フロアに機器管理装置１０が接続されているような場合には、各フロアの機器管理装置１０には、管理対象機器２０ａ〜２０ｎとしては、そのフロアに設置されている機器のみが登録され、ネットワークＮＷに接続されている他の階のフロアに設置されている機器は登録されないこととなる。
【００２２】
機器２０ａ〜２０ｎは、管理の必要な各種機器であって、例えば、複写装置、ファクシミリ装置、複合装置、プリンタ装置、スキャナ装置等であり、その機器の管理に必要な各種データ、例えば、印刷枚数、複写枚数、読取枚数、ファクシミリ受信枚数、ファクシミリ送信枚数等のログデータ（情報）、メンテナンス管理情報、故障発生の有無情報等を検出・収集して管理情報として保管し、機器管理装置１０からの収集要求に応じて、または、自発的に該管理情報をネットワークＮＷを介して機器管理装置１０に送信する。
【００２３】
機器管理装置１０は、制御部（制御手段）１１、入出力部１２、データ集計部１３、ネットワーク通信部１４、登録機器リスト記憶部１５、マップデータリスト記憶部１６、ユーザリスト記憶部１７及びマップデータ加工部１８等を備えており、コンピュータ等が用いられていて、後述する機器管理処理の機器管理プログラムを記録するＦＤ（フロッピーディスク：登録商標）、ＣＤ（Compact Disc）、ＤＶＤ（Digital Video Disk）、メモリカード等の記録媒体から該機器管理プログラムを読み取ってインストールしたり、あるいは、ネットワーク等を介してインストールすることで、機器管理装置１０として構築されている。
【００２４】
入出力部（出力手段）１２は、キーボード、マウス、ディスプレイ等のユーザインターフェイスであり、機器管理者によって管理情報の集計期間、注目表示対象機器等の注目機器の管理に必要な各種設定入力が行われる。
【００２５】
制御部１１は、インストールされている機器管理プログラムに基づいて、入出力部１２からの設定値に応じて機器管理装置１０の各部を制御して、機器管理装置１０としての機能処理を実行する。
【００２６】
ネットワーク通信部１４は、ネットワークＮＷに接続され、制御部１１の制御下で、ネットワークＮＷに接続されている機器２０ａ〜２０ｎと通信を行って、各種情報の交換、特に、管理情報の取得を行う。
【００２７】
データ集計部（解析手段）１３は、制御部１１の制御下で、入出力部１２から入力されて登録機器リスト記憶部１５に登録されている管理対象機器２０ａ〜２０ｎに対して、入出力部１２から設定入力された収集日時または予め設定されている定期日時等に、管理情報の要求を行って、該機器２０ａ〜２０ｎから管理情報を収集して、各機器２０ａ〜２０ｎ毎に各管理情報について集計する。
【００２８】
登録機器リスト記憶部１５は、管理対象の機器２０ａ〜２０ｎの機器情報、例えば、機器名、機器番号、機種、各機器のネットワーク情報（ネットワークアドレス等）等を記憶し、制御部１１が、機器管理者によって入出力部１２から入力された管理対象の機器情報を登録機器リスト記憶部１５に登録する。
【００２９】
ユーザリスト記憶部１７は、機器２０ａ〜２０ｎを使用するユーザ（利用者）として入出力部１２から機器管理者によって設定入力されたユーザの情報（利用者情報）、例えば、氏名、座席位置等の情報が制御部１１の制御下で設定登録され、該設定登録されたユーザ情報を記憶する。
【００３０】
マップデータリスト記憶部１６は、機器２０ａ〜２０ｎと該機器２０ａ〜２０ｎの利用者の座席位置をマップ形式（位置図面形式）の図形データ（以下、マップデータという。）として記憶しており、マップデータ加工部１８がマップデータを読み出して加工する。このマップデータは、例えば、図２に示すように、オフィス等のフロア３０に配置されている機器２０ａ〜２０ｎの配置位置と機器２０ａ〜２０ｎを使用するユーザの座席位置（座席部分）３１をマップ形式で構成された図形データである。
【００３１】
マップデータ加工部１８は、マップデータリスト記憶部１６からマップデータを読み出し、登録機器リスト記憶部１５から管理対象機器２０ａ〜２０ｎの機器情報を読み出し、また、ユーザリスト記憶部１７から登録ユーザのユーザ情報を読み出して、マップデータに対して、機器情報及びユーザ情報に基づいて、マップデータ上の管理対象機器２０ａ〜２０ｎのうち指定された表示対象機器２０ａ〜２０ｎとその表示対象機器２０ａ〜２０ｎを所定頻度以上で利用しているユーザを、予め設定されている表示方法に従って、そのマップデータ上の色を変える等の加工を行う。
【００３２】
制御部１１は、マップデータ加工部１８の加工したマップデータを入出力部１２のディスプレイに表示出力させ、また、入出力部１２の入力デバイスからの指示操作に応じて印刷機能を有する管理対象機器２０ａ〜２０ｎの１つまたは図示しないプリンタ等に印刷出力させる。上記マップデータ加工部１８と制御部１１は、全体として制御手段として機能している。
【００３３】
次に、本実施例の作用を説明する。本実施例の機器管理システム１は、管理対象の機器２０ａ〜２０ｎから該機器２０ａ〜２０ｎの管理に必要な管理情報を収集して該管理情報に応じて注目表示対象として指定された表示対象機器２０ａ〜２０ｎと該表示対象機器２０ａ〜２０ｎを所定頻度以上の頻度で使用するユーザの座席部分３１のマップデータの表示方法を変更して出力する。
【００３４】
すなわち、機器管理システム１は、図３に示すように、入出力部１２から機器管理者によって管理情報の収集期間、注目表示対象機器２０ａ〜２０ｎの指定等の機器管理に必要な管理設定情報が設定入力されて、ログデータ（管理情報）の集計の指示操作が行われると、入出力部１２が、該設定入力された管理設定情報を制御部１１に渡し（ステップＳ１０１）、制御部１１が、機器管理者からの指示を受けて、登録機器リスト記憶部１５から管理対象機器２０ａ〜２０ｎの機器情報を読み出して（ステップＳ１０２）、ネットワーク通信部１４及びネットワークＮＷを介して管理対象機器２０ａ〜２０ｎからログデータの取得を行う（ステップＳ１０３）。なお、ログデータは、入出力部１２から集計の指示があった時に取得する場合に限るものではなく、制御部１１の制御下で、入出力部１２から予め設定された収集日時等に定期的にかつ自動的に収集して記憶しておいたログデータを利用してもよい。
【００３５】
制御部１１は、取得したログデータをデータ集計部１３に送り、入出力部１２から指示された集計期間に従った集計（解析）を指示する（ステップＳ１０４）。
【００３６】
データ集計部１３は、制御部１１から渡されたログデータを指示された集計期間に従って集計すると、制御部１１に渡し（ステップＳ１０５）、制御部１１は、集計データ、表示対象機器の情報、ユーザの表示方法（例えば、対象機器に対して１０００枚以上の印刷を行ったユーザの色付け表示等）をマップデータ加工部１８に送る（ステップＳ１０６）。
【００３７】
マップデータ加工部１８は、マップデータリスト記憶部１６から表示対象機器２０ａ〜２０ｎの記載されたマップデータを読み出し、また、ユーザリスト記憶部１７からユーザリストを読み出す（ステップＳ１０７）。マップデータ加工部１８は、図４に示すように、集計データとユーザリストに基づいて、マップデータの表示対象機器２０ａ〜２０ｎとその機器２０ａ〜２０ｎのユーザの座席部分３１の表示を、制御部１１から渡された表示方法に従って、例えば、図２に示したように、マップデータ上の表示対象機器２０ａ〜２０ｎやユーザの座席部分３１のマップデータを色を変える等の加工を行う（ステップＳ１０８）。なお、図４では、カラー表示することができないため、色ではなく、背景の網掛けパターンで利用頻度を表現しており、横縞の背景が表示対象機器２０ａ、点による網掛けが利用の多いユーザ、斜線の背景が負荷の低い機器を表している。
【００３８】
マップデータ加工部１８は、同じマップデータ上にある表示対象以外の他の機器２０ａ〜２０ｎで、表示対象機器２０ａ〜２０ｎよりも負荷の低い機器２０ａ〜２０ｎがあるかチェックし（ステップＳ１０９）、表示対象機器２０ａ〜２０ｎよりも負荷の軽い他の機器２０ａ〜２０ｎがないときには、上記ログデータに基づいて表示形式を変更した加工済のマップデータを制御部１１に渡す（ステップＳ１１０）。
【００３９】
ステップＳ１０９で、表示対象機器２０ａ〜２０ｎよりも負荷の軽い他の機器２０ａ〜２０ｎがあるときには、マップデータ加工部１８は、その負荷の軽い機器２０ａ〜２０ｎのマップデータ上の部分も色を変える等の加工を行い（ステップＳ１１１）、加工済のマップデータを制御部１１に渡す（ステップＳ１１０）。
【００４０】
制御部１１は、マップデータ加工部１８から加工の完了したマップデータを受け取って入出力部１２に送り（ステップＳ１１２）、入出力部１２は、加工されたマップデータをそのディスプレイに表示する（ステップＳ１１３）。
【００４１】
このように、本実施例の機器管理システム１は、ネットワークＷに接続されている管理対象機器２０ａ〜２０ｎから該機器２０ａ〜２０ｎの利用状況等の該機器２０ａ〜２０ｎの管理に必要な管理情報を収集して該機器２０ａ〜２０ｎを管理する機器管理装置が、各管理対象の機器２０ａ〜２０ｎから収集した管理情報をデータ集計部１３で集計（解析）して該各機器２０ａ〜２０ｎの利用頻度等の解析情報を生成し、管理対象の機器２０ａ〜２０ｎの配置位置及び該各機器２０ａ〜２０ｎの利用者の座席位置３１の位置図面（マップ）上に所定の表示方法に基づいて該解析情報に応じた色付け等の付加情報を付加して出力する機器管理処理を実行している。
【００４２】
したがって、各機器２０ａ〜２０ｎの利用頻度等の管理に必要な情報をマップ上に分かりやすく出力して、直感的に現在の利用状況等の管理に必要な情報を把握できるようにすることができ、機器２０ａ〜２０ｎの配置等の改善計画等の機器２０ａ〜２０ｎの管理を簡単かつ容易に実行できるようにして、利用性を向上させることができる。
【００４３】
また、本実施例の機器管理システム１は、機器管理者によって指定入力された表示対象機器２０ａ〜２０ｎを中心として、該表示対象機器２０ａ〜２０ｎと該機器２０ａ〜２０ｎの利用頻度の多いユーザの座席位置３１を色付け表示灯で表示している。
【００４４】
したがって、利用頻度やその他の管理者の注目している管理情報に応じて管理者が指定した機器２０ａ〜２０ｎを注目機器として、各種管理情報を図式的に表示することができ、機器２０ａ〜２０ｎの配置等の改善計画等の機器２０ａ〜２０ｎの管理をより一層簡単かつ容易に実行できるようにして、利用性をより一層向上させることができる。
【００４５】
さらに、本実施例の機器管理システム１は、ファクシミリ装置やファクシミリ機能を有する機器２０ａ〜２０ｎを管理対象とし、該機器２０ａ〜２０ｎからファクシミリ機能の利用状況等の管理情報を収集・解析（集計）している。
【００４６】
したがって、ファクシミリ機能の利用頻度等を考慮した機器２０ａ〜２０ｎの管理を行うことができ、利用性をより一層向上させることができる。
【実施例２】
【００４７】
図５及び図６は、本発明の機器管理装置、機器管理システム、機器管理プログラム、機器管理方法及び記録媒体の第２実施例を適用した機器管理システムによる機器管理処理を示すフローチャートである。
【００４８】
なお、本実施例は、上記第１実施例の機器管理システム１と同様の機器管理システムに適用したものであり、本実施例の説明においては、必要に応じて上記第１実施例の説明で用いた符号をそのまま用いて説明する。
【００４９】
本実施例の機器管理システム１は、管理対象として登録されている機器２０ａ〜２０ｎのユーザ毎の利用状況等の管理情報を集計して、マップデータ上に追加の機器を配設すべき候補位置を表示する。
【００５０】
すなわち、機器管理システム１は、図５に示すように、入出力部１２から機器管理者によって管理情報の収集期間、表示対象機器２０ａ〜２０ｎの指定等の管理に必要な管理設定情報が設定入力されて、ログデータ（管理情報）の集計の指示操作が行われると、入出力部１２が、該設定入力された管理設定情報を制御部１１に渡し（ステップＳ２０１）、制御部１１が、機器管理者からの指示を受けて、登録機器リスト記憶部１５から管理対象機器２０ａ〜２０ｎの機器情報を読み出して（ステップＳ２０２）、ネットワーク通信部１４及びネットワークＮＷを介して管理対象機器２０ａ〜２０ｎからログデータの取得を行う（ステップＳ２０３）。なお、ログデータは、上記同様に、入出力部１２から集計の指示があった時に取得する場合に限るものではなく、制御部１１の制御下で、入出力部１２から予め設定された収集日時等に定期的にかつ自動的に収集して記憶しておいたログデータを利用してもよい。
【００５１】
制御部１１は、取得したログデータをデータ集計部１３に送り、入出力部１２から指示された集計期間に従った集計を指示する（ステップＳ２０４）。
【００５２】
データ集計部１３は、制御部１１から渡されたログデータを指示された集計期間に従って集計すると、制御部１１に渡し（ステップＳ２０５）、制御部１１は、集計データ、表示対象機器の情報、ユーザの表示方法（例えば、対象機器に対して１０００枚以上の印刷を行ったユーザの色付け表示等）をマップデータ加工部１８に送る（ステップＳ２０６）。
【００５３】
マップデータ加工部１８は、マップデータリスト記憶部１６から管理対象機器２０ａ〜２０ｎの記載されたマップデータを読み出し、また、ユーザリスト記憶部１７からユーザリストを読み出す（ステップＳ２０７）。マップデータ加工部１８は、図６に示すように、集計データとユーザリストに基づいて、マップデータ上の管理対象機器２０ａ〜２０ｎのうち、表示対象機器２０ａ〜２０ｎとその機器２０ａ〜２０ｎを所定頻度以上の頻度で利用しているユーザの座席部分３１の表示を、制御部１１から渡された表示方法に従って、例えば、図２に示したように、マップデータ上の表示対象機器２０ａ〜２０ｎや該表示対象機器２０ａ〜２０ｎを所定頻度以上の頻度で利用しているユーザの座席部分３１の色を変える等の加工を行う（ステップＳ２０８）。
【００５４】
マップデータ加工部１８は、ユーザの座席部分３１の表示方法に従って色を変えた各ユーザの座席位置３１から等距離にあるマップデータ上の地点（すなわち、利用頻度の高い各ユーザから最も近い地点）を計算し、マップデータのその地点部分の色を所定色に変化させる加工を行う（ステップＳ２０９）。
【００５５】
マップデータ加工部１８は、加工したマップデータを制御部１１に渡し（ステップＳ２１０）、制御部１１は、マップデータ加工部１８から加工の完了したマップデータを受け取って入出力部１２に送って（ステップＳ２１２）、入出力部１２は、加工されたマップデータをそのディスプレイに表示する（ステップＳ２１３）。
【００５６】
このように、本実施例の機器管理システム１は、管理対象の機器２０ａ〜２０ｎの利用状況等の管理情報に基づいて、新たに追加する機器の設置位置を、例えば、利用頻度の多いユーザの座席３１からの距離が均等な位置に設定することができ、より一層利用性を向上させることができる。
【００５７】
また、本実施例の機器管理システム１は、ファクシミリ装置やファクシミリ機能を有する機器２０ａ〜２０ｎを管理対象とし、該機器２０ａ〜２０ｎからファクシミリ機能の利用状況等の管理情報を収集・解析（集計）している。
【００５８】
したがって、ファクシミリ機能の利用頻度等を考慮した機器の管理を行うことができ、利用性をより一層向上させることができる。
【実施例３】
【００５９】
図７〜図９は、本発明の機器管理装置、機器管理システム、機器管理プログラム、機器管理方法及び記録媒体の第３実施例を示す図であり、図７は、本発明の機器管理装置、機器管理システム、機器管理プログラム、機器管理方法及び記録媒体の第３実施例を適用した機器管理システム４０のシステム構成図である。
【００６０】
なお、本実施例は、上記第１実施例の機器管理システム１と同様の機器管理システム４０に適用したものであり、本実施例の説明において、上記第１実施例と同様の構成部分については、同一の符号を付して、その詳細な説明を省略する。
【００６１】
図７において、機器管理システム４０は、ネットワークＮＷに機器管理装置５０と管理対象の複数の機器２０ａ〜２０ｎ及び図示しない管理対象として登録されていない機器が接続されている。
【００６２】
機器管理装置５０は、上記第１実施例の機器管理装置１０と同様の制御部（制御手段）１１、入出力部１２、データ集計部１３、ネットワーク通信部１４、登録機器リスト記憶部１５、マップデータリスト記憶部１６、ユーザリスト記憶部１７及びマップデータ加工部１８を備えているとともに、設置可能エリアデータリスト記憶部５１等を備えており、コンピュータ等が用いられていて、後述する機器管理プログラムを記録するＦＤ、ＣＤ、ＤＶＤ、メモリカード等の記録媒体から該機器管理プログラムを読み取ってインストールしたり、あるいは、ネットワーク等を介してインストールすることで、機器管理装置５０として構築されている。
【００６３】
機器管理装置５０の制御部１１、入出力部１２、データ集計部１３、ネットワーク通信部１４、登録機器リスト記憶部１５、マップデータリスト記憶部１６、ユーザリスト記憶部１７及びマップデータ加工部１８は、上記第１実施例の場合と同様であるので、その説明を省略する。
【００６４】
設定可能エリアデータリスト記憶部５１は、管理対象機器２０ａ〜２０ｎやユーザの座席３１の配置されるフロア３０のうち、追加の機器を設置可能なエリアのリストを記憶し、必要に応じて、マップデータ加工部１８により読み出される。この設置可能エリアのリストは、入出力部１２から機器管理者によって設定入力されて、制御部１１が設定可能エリアデータリスト記憶部５１に保存する。
【００６５】
次に、本実施例の作用を説明する。本実施例の機器管理システム４０は、管理対象に登録されている機器２０ａ〜２０ｎのユーザ毎の利用状況等の管理情報を集計して、マップデータ上に追加の機器を配設すべき設置可能エリアを表示する。
【００６６】
すなわち、機器管理システム１は、図８に示すように、入出力部１２から機器管理者によって管理情報の収集期間、表示対象機器２０ａ〜２０ｎの指定等の管理に必要な管理設定情報が設定入力されて、ログデータ（管理情報）の集計の指示操作が行われると、入出力部１２が、該設定入力された管理設定情報を制御部１１に渡し（ステップＳ３０１）、制御部１１が、機器管理者からの指示を受けて、登録機器リスト記憶部１５から管理対象機器２０ａ〜２０ｎの機器情報を読み出して（ステップＳ３０２）、ネットワーク通信部１４及びネットワークＮＷを介して管理対象機器２０ａ〜２０ｎからログデータの取得を行う（ステップＳ３０３）。なお、ログデータは、上記同様に、入出力部１２から集計の指示があった時に取得する場合に限るものではなく、制御部１１の制御下で、入出力部１２から予め設定された収集日時等に定期的にかつ自動的に収集して記憶しておいたログデータを利用してもよい。
【００６７】
制御部１１は、取得したログデータをデータ集計部１３に送り、入出力部１２から指示された集計期間に従った集計を指示する（ステップＳ３０４）。
【００６８】
データ集計部１３は、制御部１１から渡されたログデータを指示された集計期間に従って集計すると、制御部１１に渡し（ステップＳ３０５）、制御部１１は、集計データ、表示対象機器の情報、ユーザの表示方法（例えば、対象機器に対して１０００枚以上の印刷を行ったユーザの色付け表示等）をマップデータ加工部１８に送る（ステップＳ３０６）。
【００６９】
マップデータ加工部１８は、マップデータリスト記憶部１６から管理対象機器２０ａ〜２０ｎの記載されたマップデータを読み出し、また、ユーザリスト記憶部１７からユーザリストを読み出す。さらに、マップデータ加工部１８は、設置可能エリアデータリスト記憶部５１から、読み出したマップデータに該当するエリアデータを読み出す（ステップＳ３０７）。マップデータ加工部１８は、集計データとユーザリストに基づいて、マップデータの表示対象機器２０ａ〜２０ｎとその機器２０ａ〜２０ｎを所定頻度以上の頻度で使用しているユーザの座席部分３１の表示を、制御部１１から渡された表示方法に従って、例えば、図２に示したように、マップデータ上の表示対象機器２０ａ〜２０ｎや該ユーザの座席部分３１のマップデータの色を変える等の加工を行う（ステップＳ３０８）。
【００７０】
マップデータ加工部１８は、ユーザの座席部分３１の表示方法に従って色を変えた各ユーザの座席位置３１から等距離にあるマップデータ上の地点（すなわち、利用頻度の高い各ユーザから最も近い地点）を計算し（ステップＳ３０９）、該計算結果の地点（計算地点）が設置可能エリア内であるかを、上記設置可能エリアデータリスト記憶部５１から読み出したマップデータ上の設置可能エリアに計算地点が含まれるか否かでチェックする（ステップＳ３１０）。
【００７１】
ステップＳ３１０で、計算地点が設置可能エリア内でないときには、マップデータ加工部１８は、前回計算に用いたユーザよりも少し遠くの利用頻度の高い各ユーザから等距離にあるマップデータ上の地点を計算し（ステップＳ３１１）、再度、ステップＳ３１０に戻って、該再度計算した計算地点が設置可能エリアに含まれているかチェックする（ステップＳ３１０）。ステップＳ３１０で、計算地点が設置可能エリア内でないときには、マップデータ加工部１８は、前回計算に用いたユーザよりもさらに少し遠くの利用頻度の高い各ユーザから等距離にあるマップデータ上の地点を計算して、該再度計算した計算地点が設置可能エリアに含まれているかチェックする処理を、計算地点が設置可能エリアに含まれるまで、繰り返し行う（ステップＳ３１１、Ｓ３１０）。
【００７２】
ステップＳ３１０で、計算地点が設置可能エリア内にあるときには、マップデータ加工部１８は、計算地点のマップデータの地点部分である設定可能エリアの色を所定色に変化させる加工を行う（ステップＳ３１２）。  
【００７３】
マップデータ加工部１８は、加工したマップデータを制御部１１に渡し（ステップＳ３１３）、制御部１１は、マップデータ加工部１８から加工の完了したマップデータを受け取って入出力部１２に送って（ステップＳ３１４）、入出力部１２は、加工されたマップデータをそのディスプレイに表示する（ステップＳ３１５）。
【００７４】
このように、本実施例の機器管理システム１は、管理対象の機器２０ａ〜２０ｎの利用状況等の管理情報に基づいて、新たに追加する機器の設置位置を利用頻度の多いユーザの座席３１からの距離が均等な設置可能エリアに設定することができ、より一層適切な設定位置を図式的に明示して、より一層利用性を向上させることができる。
【００７５】
また、本実施例の機器管理システム１は、ファクシミリ装置やファクシミリ機能を有する機器２０ａ〜２０ｎを管理対象とし、該機器２０ａ〜２０ｎからファクシミリ機能の利用状況等の管理情報を収集・解析（集計）している。
【００７６】
したがって、ファクシミリ機能の利用頻度等を考慮した機器の管理を行うことができ、利用性をより一層向上させることができる。
【００７７】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００７８】
本発明は、画像形成装置やファクシミリ装置等の機器のユーザ毎の利用頻度等の管理情報の収集結果を視覚的に見やすく出力して、管理情報の有効利用を図る機器管理装置、機器管理システム、機器管理プログラム、機器管理方法及び機器管理プログラムを記録する記録媒体に適用することができる。
【図面の簡単な説明】
【００７９】
【図１】本発明の機器管理装置、機器管理システム、機器管理プログラム、機器管理方法及び記録媒体の第１実施例を適用した機器管理システムのシステム構成図。
【図２】図１の機器管理システムの適用される機器やユーザの座席の配置されるフロアの一例を示す平面図。
【図３】図１の機器管理システムによる機器管理処理を示すフローチャート。
【図４】図３の機器管理処理の続きの処理を示すフローチャート。
【図５】本発明の機器管理装置、機器管理システム、機器管理プログラム、機器管理方法及び記録媒体の第２実施例を適用した機器管理システムによる機器管理処理を示すフローチャート。
【図６】図５の機器管理処理の続きの処理を示すフローチャート。
【図７】本発明の機器管理装置、機器管理システム、機器管理プログラム、機器管理方法及び記録媒体の第３実施例を適用した機器管理システムのシステム構成図。
【図８】図７の機器管理システムによる機器管理処理を示すフローチャート。
【図９】図８の機器管理処理の続きの処理を示すフローチャート。
【符号の説明】
【００８０】
１  機器管理システム
ＮＷ  ネットワーク
１０  機器管理装置
１１  制御部
１２  入出力部
１３  データ集計部
１４  ネットワーク通信部
１５  登録機器リスト記憶部
１６  マップデータリスト記憶部
１７  ユーザリスト記憶部
１８  マップデータ加工部
２０ａ〜２０ｎ  登録機器
３０  フロア
３１  座席位置
４０  機器管理システム
５０  機器管理装置
５１  設置可能エリアデータリスト記憶部
【図１】
2008020995.tif 000003
【図２】
2008020995.tif 000004
【図３】
2008020995.tif 000005
【図４】
2008020995.tif 000006
【図５】
2008020995.tif 000007
【図６】
2008020995.tif 000008
【図７】
2008020995.tif 000009
【図８】
2008020995.tif 000010
【図９】
2008020995.tif 000011